【手続補正書】
【提出日】平成24年7月4日(2012.7.4)
【手続補正１】
【補正対象書類名】特許請求の範囲
【補正対象項目名】全文
【補正方法】変更
【補正の内容】
【特許請求の範囲】
【請求項１】
各々が服用薬を含むブリスターの配列を支持する支持材であって、前記ブリスターそれぞれの下方に貫通孔の配列を有する支持材と、
該支持材の上方に配設された作動部材であって、前記支持材に対して平行な定められた方向において、少なくとも１ステップ単位で前記支持材及びブリスターの配列に対して並進移動可能な作動部材と、
対応する前記貫通孔を通して、対応する前記服用薬を放出するために、前記作動部材の並進動作の各ステップを、前記対応する貫通孔に向かって前記ブリスターのうちの対応するブリスターに及ぼされる圧力に変換するための手段と
を具備する、薬の供給のためのディスペンサー。
【請求項２】
前記ブリスターの配列が前記定められた方向に並んで延在するブリスターのいくつかの列を含み、前記作動部材の並進動作の各ステップの間に放出される前記服用薬が前記ブリスターの各列の少なくとも一つの服用薬を含む、請求項１に記載のディスペンサー。
【請求項３】
前記ブリスターの列のそれぞれの服用薬が、前記作動部材の並進動作の各ステップの間、連続的に放出されるように、前記変換手段及び前記ブリスターの配列が構成される、請求項２に記載のディスペンサー。
【請求項４】
前記変換手段が前記作動部材の少なくとも一つの傾斜した押圧面を具備する、請求項１〜３のいずれか１項に記載のディスペンサー。
【請求項５】
前記変換手段が、傾斜した押圧部材の配列を具備し、各押圧部材が、一方の端部において前記支持材に対してヒンジ接続され、且つ、前記作動部材の並進動作のステップのうちの対応する一つのステップの間、前記作動部材によって前記貫通孔のうちの対応する貫通孔に向かって枢動するように付勢されるように構成され、前記押圧部材の自由端が、前記押圧部材の枢動動作の間、対応する前記服用薬をそこから放出するために、前記ブリスターのうちの対応するブリスターを押圧するように構成される、請求項１〜４のいずれか１項に記載のディスペンサー。
【請求項６】
前記押圧部材が、前記支持材上に設置される上方プレートであって前記ブリスターを受容する貫通孔の配列を有する上方プレートに、前記一方の端部においてヒンジ接続される、請求項５に記載のディスペンサー。
【請求項７】
前記支持材が、硬質のベース支持部材と、該硬質のベース支持部材によって支持され且つ前記ブリスターを支持する圧縮性プレートとを具備し、
前記支持材の貫通孔がそれぞれ切断部材を具備し、
前記作動部材が少なくとも一つの押圧部材を具備し、
当該ディスペンサーが、前記支持材に対して固定されたカム面の配列を更に具備し、
対応する前記ブリスターのシールフィルムが、対応する前記切断部材によって予め切断されるように、前記作動部材の押圧部材が、前記圧力が及ぼされる前に、前記圧縮性プレートを圧縮することによって前記硬質のベース支持部材に対して前記対応するブリスターをより近くに移動させるように、前記作動部材の並進動作の各ステップの間に前記カム面のうちの対応するカム面と協働するように構成される、請求項１〜６のいずれか１項に記載のディスペンサー。
【請求項８】
前記支持材が、硬質のベース支持部材と、該硬質のベース支持部材によって支持され且つ前記ブリスターを支持する圧縮性プレートとを具備し、
前記支持材の貫通孔がそれぞれ切断部材を具備し、
前記作動部材が少なくとも一つの押圧部材を具備し、
当該ディスペンサーが、前記支持材に対して固定されたカム面の配列を更に具備し、
対応する前記ブリスターのシールフィルムが、対応する前記切断部材によって予め切断されるように、前記作動部材の押圧部材が、前記圧力が及ぼされる前に、前記圧縮性プレートを圧縮することによって前記硬質のベース支持部材に対して前記対応するブリスターをより近くに移動させるように、前記作動部材の並進動作の各ステップの間に前記カム面のうちの対応するカム面と協働するように構成され、前記圧縮性プレートが前記硬質のベース支持部材と前記上方プレートとの間にあり、該上方プレートが、可撓性のあるリンクによって互いに接続されたいくつかの硬質のプレート要素から成り、各硬質のプレート要素が、前記上方プレートの傾斜した押圧部材の少なくとも一つと、前記上方プレートの貫通孔の少なくとも一つとを有する、請求項６に記載のディスペンサー。
【請求項９】
前記作動部材を駆動するための駆動部材であって、使用者によって操作可能であり、且つ、前記定められた方向とは反対の方向において第１位置から第２位置へ前記支持材に対して並進移動可能であり且つ前記定められた方向において前記第２位置から前記第１位置へ前記支持材に対して並進移動可能であり、前記第１位置から前記第２位置への当該駆動部材の動作では、前記作動部材が前記支持材に対して固定された状態に残され、前記第２位置から前記第１位置への当該駆動部材の動作では、前記作動部材が前記ステップの１ステップ単位で移動せしめられる、駆動部材を更に具備する、請求項１〜８のいずれか１項に記載のディスペンサー。
【請求項１０】
前記駆動部材が、前記定められた方向に対して平行に延在する対向する案内部材であって、各々がその内面上に割出し要素を有する、案内部材を具備し、前記作動部材が、前記案内部材の間に配設され、且つ、前記並進動作のステップ間に前記作動部材の静止位置を画成すべく前記案内部材の割出し要素と協働する側部の割出し要素を有する、請求項９に記載のディスペンサー。
【請求項１１】
前記案内部材の割出し要素がノッチから成り、且つ前記作動部材の割出し要素が弾性変形可能なタブから成る、請求項１０に記載のディスペンサー。
【請求項１２】
前記駆動部材が該駆動部材の第１位置から該駆動部材の第２位置に移動せしめられているときに前記作動部材を前記静止位置に保持するために、前記支持材に対して固定された当接面を更に具備する、請求項１０又は１１に記載のディスペンサー。
【請求項１３】
前記支持材の貫通孔が、少なくとも一つの空洞であって、前記服用薬が前記ブリスターから放出された後に当該少なくとも一つの空洞内に落下する少なくとも一つの空洞と連通し、該空洞が、前記ディスペンサーの端部に設けられた取り外し可能なキャップの内部と連通する、請求項１〜１２のいずれか１項に記載のディスペンサー。
【請求項１４】
ケースであって、当該ケース内において、前記支持材、前記ブリスター、前記作動部材、及び前記変換手段が提供されるケースを更に具備する、請求項１〜８、１３のいずれか１項に記載のディスペンサー。
【請求項１５】
ケースであって、当該ケース内において、前記支持材、前記ブリスター、前記作動部材、及び前記変換手段が提供されるケースを更に具備する、請求項９〜１２のいずれか１項に記載のディスペンサー。
【請求項１６】
前記ディスペンサーの使用のあらゆる配置において、使用者が前記ブリスターに直接アクセスできない、請求項１４に記載のディスペンサー。
【請求項１７】
前記ディスペンサーの使用のあらゆる配置において、使用者が前記ブリスターに直接アクセスできない、請求項１５に記載のディスペンサー。
【請求項１８】
前記ケースが側壁と頂壁と底壁とを有し、
当該ディスペンサーが、
前記ケースに結合された第１ロック手段と、
前記駆動部材に結合され、且つ、前記支持材に対して前記駆動部材を該駆動部材の第１位置にロックするために前記第１ロック手段と係合する第２ロック手段と、
前記側壁にそれぞれ設けられた第１ボタン及び第２ボタンであって、前記駆動部材が、前記定められた方向とは反対の方向において該駆動部材の第１位置から該駆動部材の第２位置へ前記支持材に対して移動せしめられることを可能とするために、前記第１ロック手段と前記第２ロック手段との係合を解除するように操作可能である第１ボタン及び第２ボタンと、
前記第１ロック手段と前記第２ロック手段との間の係合を維持するための第３ロック手段と、
前記第１ボタン及び第２ボタンを操作することによって前記第１ロック手段と前記第２ロック手段との係合を解除することを可能とすべく前記第３ロック手段に作用するように操作可能な第３ボタンと
を更に具備する、請求項１５又は１７に記載のディスペンサー。
【請求項１９】
前記第１ボタン及び第２ボタンが前記第１ロック手段と前記第２ロック手段との係合を解除すべく前記第１ロック手段に作用するように操作可能である、請求項１８に記載のディスペンサー。
【請求項２０】
前記第３ロック手段が、前記第３ボタンが静止位置にある間に前記第１ボタン及び第２ボタンを操作する試みがなされると前記第１ロック手段をブロックするように構成される、請求項１９に記載のディスペンサー。
【請求項２１】
前記第１ボタン及び第２ボタンが押しボタンであり、且つ前記第３ボタンがスライドボタンである、請求項１８〜２０のいずれか１項に記載のディスペンサー。
【請求項２２】
前記第１ボタン及び第２ボタンが押しボタンであり、且つ前記第３ボタンがスライドボタンであり、前記第３ロック手段が、前記第３ボタンを保持する摺動可能な部分の側部であり、該側部が、前記第３ボタンが静止位置にある間に、前記第１ボタン及び第２ボタンを操作する試みがなされると前記第１ロック手段のストッパー突起をブロックするように構成され、且つ、前記第３ボタンが操作位置にあり且つ前記第１ボタン及び第２ボタンが押圧されるときに前記ストッパー突起が中に入る穴を具備する、請求項２０に記載のディスペンサー。
【請求項２３】
前記摺動可能な部分の側部がストッパー突起を更に具備し、該ストッパー突起が、前記第３ボタンが該第３ボタンの静止位置から該第３ボタンの操作位置に移動するのを妨げるために、前記第１ボタン及び第２ボタンが押圧されるときに前記第１ロック手段のストッパー突起によってブロックされる、請求項２２に記載のディスペンサー。
【請求項２４】
前記第３ボタンが前記ケースの頂壁に設けられる、請求項１８〜２３のいずれか１項に記載のディスペンサー。
【請求項２５】
前記第１ボタン及び第２ボタンが、同時に操作されるときのみに前記第１ロック手段と前記第２ロック手段との係合を解除するように構成される、請求項１８〜２４のいずれか１項に記載のディスペンサー。
【請求項２６】
前記ブリスターがいくつかの別個のブリスターパックとして構成される、請求項１〜２５のいずれか１項に記載のディスペンサー。
【請求項２７】
前記薬が、癌の治療のための薬剤、すなわち即効性の毒性効果又は免疫系への効果を有する薬剤を含む、請求項１〜２６のいずれか１項に記載のディスペンサー。
【請求項２８】
前記薬がクラドリビン又はその誘導体を含んで成る、請求項２７に記載のディスペンサー。
【請求項２９】
請求項１〜２８のいずれか１項に記載のディスペンサーと、該ディスペンサーの取り扱い方法、前記薬の管理、及び該薬の服用についての情報を含む説明書とを具備する、キット。
【請求項３０】
請求項９に係るディスペンサーを操作する方法であって、
前記支持材の貫通孔が、少なくとも一つの空洞であって、前記服用薬が前記ブリスターから放出された後に当該少なくとも一つの空洞内に落下する少なくとも一つの空洞と連通し、該空洞が、前記ディスペンサーの端部に設けられた取り外し可能なキャップの内部と連通し、
当該方法が、
前記支持材に対して前記駆動部材を該駆動部材の第１位置から該駆動部材の第２位置に引き出すステップと、
前記支持材に対して前記駆動部材を該駆動部材の第２位置から該駆動部材の第１位置に押すステップと、
前記放出された服用薬を重力によって前記キャップ内に落下させるべく前記ディスペンサーを傾けるステップと、
前記放出された服用薬を回収するために前記キャップを取り外すステップと
を含む、方法。
【請求項３１】
請求項１３に係るディスペンサーを操作する方法であって、
前記ケースが側壁と頂壁と底壁とを有し、
当該ディスペンサーが、
前記ケースに結合された第１ロック手段と、
前記駆動部材に結合され、且つ、前記支持材に対して前記駆動部材を該駆動部材の第１位置にロックするために前記第１ロック手段と係合する第２ロック手段と、
前記側壁にそれぞれ設けられた第１ボタン及び第２ボタンであって、前記駆動部材が、前記定められた方向とは反対の方向において該駆動部材の第１位置から該駆動部材の第２位置へ前記支持材に対して移動せしめられることを可能とするために、前記第１ロック手段と前記第２ロック手段との係合を解除するように操作可能である第１ボタン及び第２ボタンと、
前記第１ロック手段と前記第２ロック手段との間の係合を維持するための第３ロック手段と、
前記第１ボタン及び第２ボタンを操作することによって前記第１ロック手段と前記第２ロック手段との係合を解除することを可能とすべく前記第３ロック手段に作用するように操作可能な第３ボタンと
を更に具備し、
当該方法が、
第１の手に前記ケースを保持するステップと、
第２の手の指で前記第３ボタンを操作するステップと、
該第３ボタンを該第３ボタンの操作位置に維持しつつ、前記第１の手の二つの指で前記第１ボタン及び第２ボタンを操作するステップと、
前記駆動部材をロック解除するために、前記第１ボタン及び第２ボタンを該第１ボタン及び第２ボタンの操作位置に維持しつつ、前記第２の手で前記支持材に対して前記駆動部材を引き出すステップと、
該駆動部材が前記支持材に対して該駆動部材の第２位置に到達するまで、該駆動部材を引き出し続けるステップと、
前記支持材に対して前記駆動部材を該駆動部材の第２位置から該駆動部材の第１位置に押すステップと、
前記放出された服用薬を重力によって前記キャップ内に落下させるべく前記ディスペンサーを傾けるステップと、
前記放出された服用薬を回収するために前記キャップを取り外すステップと
を含む、方法。